(57)【要約】【課題】強度を確保しつつ容易に取り付けることが可能な仕上面材等を提供する。【解決手段】一方の面が他の部材に接着される仕上面材本体と、前記仕上面材本体内から繋がり当該仕上面材本体の端面から突出して前記他の部材に固定される固定部材と、を有する。【選択図】図１
2019052426.tif 000002
【特許請求の範囲】
【請求項１】
一方の面が他の部材に接着される仕上面材本体と、
前記仕上面材本体内から繋がり当該仕上面材本体の端面から突出して前記他の部材に固定される固定部材と、
を有することを特徴とする仕上面材。
【請求項２】
請求項１に記載の仕上面材であって、
前記仕上面材本体は、前記一方の面側に形成されて前記端面に繋がる凹部に当該仕上面材本体の共材が充填されている共材充填部を有し、
前記固定部材は前記共材充填部から前記仕上面材本体外に突出していることを特徴とする仕上面材。
【請求項３】
請求項１または請求項２に記載の仕上面材であって、
前記仕上面材本体は、面内方向における所定の方向を向く前記端面と、前記所定の方向とは反対の方向を向く前記端面と、を有し、
前記固定部位は、各々の前記端面から突出していることを特徴とする仕上面材。
【請求項４】
請求項２に記載の仕上面材であって、
前記共材充填部は、前記仕上面材本体の全長に亘って設けられており、
前記固定部材は、前記共材充填部の全長に亘って設けられるとともに当該共材充填部の両端から各々突出していることを特徴とする仕上面材。
【請求項５】
請求項２に記載の仕上面材であって、
前記共材充填部は、前記仕上面材本体の面内方向において屈曲しており、
前記固定部材は、前記共材充填部とともに屈曲していることを特徴とする仕上面材。
【請求項６】
請求項１乃至請求項５のいずれかに記載の仕上面材であって、
前記他の部材をなし、構造物に取り付けられるパネル状の下地材を備え、
前記下地材の小口に、前記固定部材が固定されていることを特徴とする仕上面材。
【請求項７】
請求項６に記載の仕上面材であって、
１つの前記仕上面材本体は、１つの前記下地材に接着され、前記仕上面材本体が接着される前記下地材の被接着面を全面覆うことを特徴とする仕上面材。
【請求項８】
請求項７に記載の仕上面材の前記下地材が前記構造物に取り付けられていることを特徴とする仕上げ構造。
【請求項９】
請求項８に記載の仕上げ構造であって、
前記仕上面材は、面内方向に並べて複数配置されており、
隣り合う当該仕上面材の前記下地材同士は、互いに間隔を空けて配置されており、
隣り合う前記仕上面材本体の互いに対向する前記端面間にシーリング材が設けられていることを特徴とする仕上げ構造。
【請求項１０】
請求項１乃至請求項５のいずれかに記載の仕上面材は、前記他の部材をなす構造物に取り付けられていることを特徴とする仕上げ構造。
【請求項１１】
請求項１乃至請求項５のいずれかに記載の仕上面材を用いた仕上面の施工方法であって、
複数の前記仕上面材の、各々の前記仕上面材本体同士を互いに間隔を隔てて面内方向に並べつつ前記構造物に取り付ける取付工程と、
隣り合う前記仕上面材本体の互いに対向する前記端面間に目地モルタルを充填する目地形成工程と、
を有することを特徴とする仕上面の施工方法。
【請求項１２】
請求項６または請求項７に記載の仕上面材を用いた仕上面の施工方法であって、
複数の前記仕上面材の、各々の前記仕上面材本体同士を互いに間隔を隔てて面内方向に並べ、各々の当該仕上面材本体が接着されている前記下地材を前記構造物に取り付ける取付工程と、
隣り合う前記仕上面材本体の互いに対向する前記端面間をシーリングするシーリング工程と、
を有することを特徴とする仕上面の施工方法。
【発明の詳細な説明】
【技術分野】
【０００１】
本発明は、仕上面材、仕上げ構造、及び、仕上面の施工方法に関する。
【背景技術】
【０００２】
陶磁製板状建材などの仕上面材は、例えば、金属線材の一端をループ状に複数巻きした被係止部と、他端をコイル状に密着巻きしたコイル状部とを有する係止金具を用いて取り付けられている。より具体的には、仕上面材の裏面に形成された行止状態の穴に、コイル状部を縮径変形させながら挿入し、穴内部に樹脂などを充填して仕上面材に係止金具を取り付け、係止金具を外部に突出させた仕上面材を接着モルタル等によりコンクリート躯体に張り付け、被係止部を釘、ビス等の止具にて仕上面材を被施工面に止め付けている。
【先行技術文献】
【特許文献】
【０００３】
【特許文献１】特開平８−６８１８３号公報
【発明の概要】
【発明が解決しようとする課題】
【０００４】
上記のように仕上面材を取り付ける場合には、仕上面材の裏面にコイル状部が挿入される穴が設けられているので、穴が仕上面材の欠損部となり仕上面材の強度が低下する。また、接着モルタル等の接着材により接着される仕上面材と被施工面との間に、仕上面材ら突出している係止金具が位置するため、係止金具を接着材内に埋設しつつ仕上面材の表面が傾かないように張り付けなければならない。このため、接着剤の層を厚くせざるを得なく接着剤の塗布量が多くなる。さらに、仕上面材の面精度の調整が必要となるため、平坦な下地に直接張り付ける場合より施工が煩雑になるという課題がある。
【０００５】
本発明は、このような事情に鑑みてなされたものであり、強度を確保しつつ容易に取り付けることが可能な仕上面材、仕上げ構造、及び、仕上面の施工方法を提供することを目的とする。
【課題を解決するための手段】
【０００６】
かかる目的を達成するために本発明の仕上面材は、
一方の面が他の部材に接着される仕上面材本体と、
前記仕上面材本体内から繋がり当該仕上面材本体の端面から突出して前記他の部材に固定される固定部材と、
を有する仕上面材である。
【０００７】
このような仕上面材によれば、他の部材に接着される仕上面材本体は、他の部材に固定される固定部材が仕上面材本体の端面から突出しているので、仕上面材本体に固定部材を取り付けるための欠損部が存在しない。このため、仕上面材に高い強度を備えることが可能である。
【０００８】
また、固定部材が端面から突出しているので、仕上面材本体と他の部材との間に固定部材は配置されない。このため、固定部材を埋めるべく接着剤の厚みを考慮することなく、仕上面材本体を他の部材に容易に接着することが可能である。また、固定部材は仕上面材本体内から繋がっているので、仕上面材本体と一体となった固定部材により仕上面材本体をより確実に保持して剥落を防止することが可能である。すなわち、強度を確保しつつ容易に取り付けることが可能な仕上面材を提供することが可能である。
【０００９】
かかる仕上面材であって、
前記仕上面材本体は、前記一方の面側に形成されて前記端面に繋がる凹部に当該仕上面材本体の共材が充填されている共材充填部を有し、
前記固定部材は前記共材充填部から前記仕上面材本体外に突出していることが望ましい。
【００１０】
このような仕上面材によれば、固定部材は仕上面材本体の凹部に共材が充填されている共材充填部から突出しているので、固定部材をより強固に仕上面材本体に設けることが可能である。
【００１１】
かかる仕上面材であって、
前記仕上面材本体は、面内方向における所定の方向を向く前記端面と、前記所定の方向とは反対の方向を向く前記端面と、を有し、
前記固定部位は、各々の前記端面から突出していることが望ましい。
【００１２】
このような仕上面材によれば、固定部材は、面内方向における所定の方向を向く端面と、所定の方向とは反対の方向を向く端面とから各々突出しているので、仕上面材本体を面内方向における両側で固定してより確実に固定することが可能である。また、固定部材を上側に配置して仕上面材本体を吊り下げて縦向きに配置するばかりでなく、仕上面材本体を横向きに配置して、左右方向の両端を固定部材により固定して取り付けることも可能である。
【００１３】
かかる仕上面材であって、
前記共材充填部は、前記仕上面材本体の全長に亘って設けられており、
前記固定部材は、前記共材充填部の全長に亘って設けられるとともに当該共材充填部の両端から各々突出していることが望ましい。
【００１４】
このような仕上面材によれば、固定部材は、仕上面材本体の全長に亘って設けられている共材充填部内を貫通して両端から各々突出しているこので、固定部材は仕上面材本体の全長に亘って設けられており、たとえ仕上面材本体が割れたとしても、割れた部位が落下することを防止することが可能である。
【００１５】
かかる仕上面材であって、
前記共材充填部は、前記仕上面材本体の面内方向において屈曲しており、
前記固定部材は、前記共材充填部とともに屈曲していることが望ましい。
【００１６】
このような仕上面材によれば、固定部材が共材充填部とともに屈曲しているので、直線状に設けられている共材充填部に、固定部材が直線状に配置されている場合よりも仕上面材本体と固定部材とをより強固に接合することが可能である。
【００１７】
かかる仕上面材であって、
前記他の部材をなし構造物に取り付けられるパネル状の下地材を備え、前記下地材の小口に、前記固定部材が固定されていることが望ましい。
【００１８】
このような仕上面材によれば、仕上面材本体の端面から突出している固定部材が下地材の小口に固定されているので、接着される仕上面材本体と下地材との間に固定部材が入り込むことをより確実に防止することが可能である。また、仕上面材を下地材に予め工場等にて取り付け、仕上面材本体を下地材に取り付けた状態で扱うことができるので、運搬・搬送時における仕上面材本体の損傷を防止することが可能である。
【００１９】
かかる仕上面材であって、
１つの前記仕上面材本体は、１つの前記下地材に接着され、前記仕上面材本体が接着される前記下地材の被接着面を全面覆うことが望ましい。
【００２０】
このような仕上面材によれば、１つの下地材に複数の仕上面材本体は接着されないので、全ての仕上面材の固定部材を下地材の小口に固定することが可能である。また、下地材の接着面は仕上面材本体に全面覆われているので、仕上面材を下地材に固定して並べるだけで美観に優れた仕上面を施工することが可能である。
【００２１】
また、仕上面材の前記下地材が前記構造物に取り付けられていることを特徴とする仕上げ構造である。
【００２２】
このような仕上げ構造によれば、施工現場では、下地材を構造物に取り付けるだけなので、施工現場において施工される仕上面の面精度の調整が容易である。
【００２３】
かかる仕上げ構造であって、
前記仕上面材は、面内方向に並べて複数配置されており、
隣り合う当該仕上面材の前記下地材同士は、互いに間隔を空けて配置されており、
隣り合う前記仕上面材本体の互いに対向する前記端面間にシーリング材が設けられていることが望ましい。
【００２４】
このような仕上げ構造によれば、面内方向に並べて複数配置される仕上面材は、隣り合う下地材同士が互いに間隔を空けて配置されるので、互いに隣り合う仕上面材の下地材の小口に固定されている固定部材同士の干渉を避けることが可能である。また、隣り合う前記仕上面材本体の端面間にシーリング材が設けられているので、端面から突出して下地材に固定される固定部材及び固定部材を固定している部材をシーリング材により隠蔽することが可能である。このため、より綺麗に納めることが可能である。
【００２５】
また、上記仕上面材は、前記他の部材をなす構造物に取り付けられていることを特徴とする仕上げ構造である。
【００２６】
このような仕上げ構造によれば、仕上面材の端面から突出している固定部材を構造物に固定するだけで、剥離時の仕上面材の落下を防止することが可能である。
【００２７】
また、上記仕上面材を用いた仕上面の施工方法であって、
複数の前記仕上面材の、各々の前記仕上面材本体同士を互いに間隔を隔てて面内方向に並べつつ前記構造物に取り付ける取付工程と、
隣り合う前記仕上面材本体の互いに対向する前記端面間に目地モルタルを充填する目地形成工程と、
を有することを特徴とする仕上面の施工方法。
【００２８】
このような仕上面の施工方法によれば、隣り合う仕上面材本体の互いに対向する端面間に目地モルタルを充填するので、仕上面材本体を固定している固定部材は外部に露出しない。このため、より美観に優れた仕上面を形成することが可能である。
【００２９】
また、上記仕上面材を用いた仕上面の施工方法であって、
複数の前記仕上面材の、各々の前記仕上面材本体同士を互いに間隔を隔てて面内方向に並べ、各々の当該仕上面材本体が接着されている前記下地材を前記構造物に取り付ける取付工程と、
隣り合う前記仕上面材本体の互いに対向する前記端面間をシーリングするシーリング工程と、
を有することを特徴とする仕上面の施工方法である。
【００３０】
このような仕上面の施工方法によれば、仕上面材本体が接着されている下地材を構造物に取り付けるので、仕上面材本体を傷つけることなく構造物に仕上面材を備えることが可能である。また、隣り合う仕上面材本体の互いに対向する端面間をシーリングするので、仕上面材本体を下地材に固定している固定部材は外部に露出しない。このため、より美観に優れた仕上面を形成することが可能である。
【発明の効果】
【００３１】
本発明によれば、強度を確保しつつ容易に取り付けることが可能な仕上面材、仕上げ構造、及び、仕上面の施工方法を提供する。
【図面の簡単な説明】
【００３２】
【図１】本実施形態に係る仕上面材の構成を示す斜視図である。
【図２】仕上面材の製造方法を示す図である。
【図３】下地材を備えた仕上面材の製造方法を示す図である。
【図４】本実施形態に係る仕上げ構造を示す縦断面図である。
【図５】本実施形態に係る仕上げ構造を示す横断面図である。
【図６】仕上面材本体の下地材への固定方法の他の例を示す斜視図である。
【図７】基材に設けられる凹部の変形例を示す図である。
【図８】下地材を備えない仕上面材のコンクリート躯体への取り付け方法を示し、図８（ａ）は正面図であり、図８（ｂ）は側面図である。
【図９】下地材を備えない仕上面材のコンクリート躯体への取り付け方法の変形例を示し、図９（ａ）は正面図であり、図９（ｂ）は側面図である。
【発明を実施するための形態】
【００３３】
以下、仕上面材、仕上げ構造、及び、仕上面の施工方法の実施形態について図を用いて詳細に説明する。
【００３４】
本実施形態の仕上面材１は、図１に示すように、長方形状をなす合成樹脂製の仕上面材本体３と、仕上面材本体３の一方の面が張り付けられる他の部材としてのパネル状の下地材２と、仕上面材本体３内から繋がり当該仕上面材本体３の端面３ａから突出して下地材２に仕上面材本体３を固定する固定部材としてのステンレス製のなまし線４と、を有している。
【００３５】
なまし線４は、仕上面材本体３内に長手方向に沿って埋設されており、埋設された部位から繋がって長手方向における両端面３ａから各々突出している。本実施形態の仕上面材１には、２本のなまし線４が各々仕上面材本体３の長手方向に貫通して設けられており、例えば仕上面材本体３の短手方向における中央から振り分けた位置に互いに間隔を隔てて配置されている。
【００３６】
本実施形態の仕上面材本体３には、仕上面材本体３の元となり長方形状をなす、例えば人工大理石などの合成樹脂製の板材に溝状の凹部５ａを形成した、図２（ａ）に示すような基材５が用いられている。基材５には、当該基材５の一方の面であり、仕上面材１として用いるときに下地材２に張り付けられる一方の面としての接着面３ｂとなる面側に、厚み方向に窪み、長手方向に沿う２本の溝状をなす凹部５ａが両端面５ｂに繋がるように形成されている。以下の説明においては、基材５の状態であっても凹部５ａが形成されている面を接着面３ｂと称する。
【００３７】
仕上面材１の製造方法は、図２（ａ）に示すように、まず、仕上面を有する合成樹脂製の板材の、仕上面とは反対側の面側に、板材の全長に亘って２本の溝状の凹部５ａを形成して基材５を形成する。
【００３８】
次に、図２（ｂ）に示すように、２本の凹部５ａに沿ってそれぞれなまし線４を配設する。このとき、なまし線４は、基材５の端面５ｂよりも外側に、少なくとも下地材２に固定可能な長さ以上長く突出させておく。
【００３９】
なまし線４を配設した後に、図２（ｃ）に示すように、凹部５ａ内に基材５と同じ合成樹脂材、すなわち共材５ｃを充填して凹部５ａを埋め戻す。
【００４０】
最後に接着面３ｂが平坦になるように埋め戻した共材５ｃの凹部５ａから突出している部分を切除して平坦に仕上げ、仕上面材本体３の両端面３ａからなまし線４が突出している仕上面材１を形成する。すなわち、仕上面材１は、仕上面材本体３の面内方向における所定の方向を向く端面３ａと、所定の方向とは反対の方向を向く端面３ａとなる、長手方向における両端面３ａから各々突出させてなまし線４が設けられている。ここで、仕上面材１において共材５ｃにより埋め戻されている部位が共材充填部３ｃに相当する。
【００４１】
本実施形態の仕上面材１は、構造物としての建物（躯体）、本実施形態では梁６に取り付けられる。以下の説明においては、梁６が位置する側を屋内側、仕上面材１が位置する側を屋外側として説明する。
【００４２】
下地材２は、例えば、セメント・けい酸質原料等を主原料とし、中空部２ａを有するパネル状に押出成形されて、適宜長さに切断され、オートクレーブ養生して形成された押出成形セメント板である。本実施形態の下地材２は、図３（ａ）〜図３（ｃ）に示すように、仕上面材本体３の接着面３ｂの面積と同じ面積の被接着面２ｂを有する被接着板部２ｃと、被接着板部２ｃの屋内側に間隔を隔てて設けられた屋内側板部２ｄと、被接着板部２ｃと屋内側板部２ｄとを厚み方向に繋ぐ複数のリブ２ｅと、を有し、長手方向に沿う複数の中空部２ａを備えている。
【００４３】
下地材２の短手方向となる幅方向の両端部のうちの一方の端部には、厚み方向の中央部から側方に突出する挿入突部２ｆが、他方に端部には、幅方向に窪む挿入凹部２ｇが、それぞれ下地材２の長手方向の全長に亘って設けられている。
【００４４】
仕上面材１は、仕上面材本体３の接着面３ｂと下地材２の被接着面２ｂとを対向させて接着剤８により接着され、仕上面材本体３の長手方向における両端面３ａから突出しているなまし線４がビス９によりそれぞれ下地材２に固定されている。このとき、仕上面材本体３の長手方向を下地材２の長手方向に沿うように、すなわち中空部２ａが連通している方向に埋設されたなまし線４が沿うように、仕上面材本体３と下地材２が配置されており、なまし線４は下地材２の小口２ｈにビス止めされている。
【００４５】
仕上面材１は、図４、図５に示すように、下地材２の中空部２ａに沿う長手方向が上下方向に沿う状態で、上下方向及び左右方向に各々複数並べて配置されており、取り付ける建物等の梁６をなすＨ型鋼に下地鋼材１０を介して取り付けられている。このとき、上下方向に並べられて隣り合う下地材２同士は、各々の小口２ｈが互いに上下方向に間隔を空けて対向しており、左右方向に並べられて隣り合う下地材２同士は、一方の下地材２の挿入突部２ｆが他方の下地材２の挿入凹部２ｇに挿入され、挿入突部２ｆと挿入凹部２ｇとの間にはパッキング材１１が介在されている。
【００４６】
上下方向及び左右方向において隣接する２つの仕上面材１の間には、屋外側の部位にシーリング材１２が充填されている。
【００４７】
仕上面材１が取り付けられる梁６をなすＨ型鋼は、上下方向に間隔を隔てて対向するフランジ６ａが鉛直に延びるウエブ６ｂにより繋がっている。梁６の上側のフランジ６ａの上面には、Ｈ型鋼の全長に亘って下地鋼材１０が溶接されている。
【００４８】
下地鋼材１０は、フランジ６ａに溶接されて仕上面材１の下地材２が固定されることにより仕上面材１と梁６とを連結する連結鋼材１３と、下地材２が載置される載置アングル材１４とが溶接されて形成されている。
【００４９】
載置アングル材１４は、断面がＬ字状をなしており、Ｌ字状に形成される２つの板部１４ａ、１４ｂのうちの一方が、下地材２が載置される水平な載置板部１４ａをなし、他方が載置板部１４ａの屋内側の縁から上方に延出されて連結鋼材１３と溶接される溶接板部１４ｂをなしている。
【００５０】
連結鋼材１３は、梁６のフランジ６ａの上面に溶接される梁溶接部１３ａと、梁溶接部１３ａにおける屋外側の縁から上方に延出され溶接板部１４ｂが溶接される上方延出部１３ｂと、上方延出部１３ｂより上に設けられ下地材２に固定される下地材固定部１３ｃと、を有している。上方延出部１３ｂの屋外側の面は、上側のフランジ６ａの屋外側の縁と面一に配置されており、上方延出部１３ｂの屋外側の面には載置アングル材１４の溶接板部１４ｂが溶接される。このため、上方延出部１３ｂの上方にて下地材２に固定される下地材固定部１３ｃの屋外側の面が、上方延出部１３ｂの屋外側の面より屋外側に位置するように、上方延出部１３ｂと下地材固定部１３ｃとの間は屈曲して、下地材２の屋内側の面と上方延出部１３ｂの屋外側の面との間は間隔が空くように構成されている。
【００５１】
本実施形態における仕上面の施工方法は、まず工場などにて製造された仕上面材１を、梁６に溶接されている下地鋼材１０の載置板部１４ａ上に載置し、仕上面材１が備える下地材２の屋内側の面を、下地鋼材１０の下地材固定部１３ｃに当接させる。このとき、載置アングル材１４の溶接板部１４ｂの屋外側の面、載置板部１４ａの上面を覆い載置板部１４ａの縁より屋外側から垂設される部位を有し、薄肉ステンレス板でなる水切りプレート１５が下地材２と載置アングル材１４との間に配置しておく。
【００５２】
次に、下地鋼材１０の下地材固定部１３ｃ及び屋内側板部２ｄに、屋内側からビス１６を貫通させ中空部２ａ内のプレートナット１７に螺合することにより下地材２を下地鋼材１０に固定して仕上面材１を梁６に取り付ける（取付工程）。
【００５３】
次に、下地鋼材１０を介して梁６に固定された複数の仕上面材１の、互いに隣り合う仕上面材１同士の間に、バックアップ材１８を備え、バックアップ材１８の屋外側にシーリング材１２を注入し（シーリング工程）、仕上面を完成させる。
【００５４】
本実施形態においては、仕上面材本体３の端面３ａから突出しているなまし線４を下地材２の小口２ｈにビス９にて固定する例について説明したが、これに限るものではない。例えば、図６に示すように、下地材２の小口２ｈにおいてリブ２ｅに被せるような、断面がコ字状をなす固定金具１９を用い、なまし線４をリブ２ｅ上に這わせた上から、リブ２ｅに固定金具１９を被せて接着しても構わない。
【００５５】
上述した実施形態の仕上面材１によれば、下地材２に接着される仕上面材本体３は、下地材２に固定されるなまし線４が仕上面材本体３の端面３ａから突出しているので、仕上面材本体３になまし線４を取り付けるための欠損部が存在しない。このため、仕上面材１に高い強度を備えることが可能である。
【００５６】
また、なまし線４が仕上面材本体３の端面３ａから突出しているので、仕上面材本体３と下地材２との間になまし線４は配置されない。すなわち、平坦な接着面３ｂと平坦な被接着面２ｂとを接着剤８により接着するので、接着剤８の厚みを厚くして仕上面の面精度を調整する必要がない。このため、仕上面材本体３を容易に下地材２に張り付けることが可能である。
【００５７】
また、なまし線４は仕上面材本体３内から繋がっているので、仕上面材本体３と一体となったなまし線４により仕上面材本体３をより確実に保持して剥落を防止することが可能である。特に、なまし線４は、基材５の共材５ｃが充填されている共材充填部３ｃ内に埋め込まれて端面３ａから突出しているので、１つの部材で形成されている場合と同様の強度を備える仕上面材本体３となまし線４とをより強固に接合することが可能である。すなわち、仕上面材本体３の強度を確保しつつ容易に取り付けることが可能であり剥落しにくい仕上面材１を提供することが可能である。
【００５８】
また、なまし線４は仕上面材本体３の両側に設けられているので、仕上面材本体３を両側で固定してより確実に固定することが可能である。また、なまし線４を仕上面材本体３の上側に配置して仕上面材本体３を吊り下げて縦向きに配置するばかりでなく、仕上面材本体３を横向きに配置し左右方向の両端を固定することも可能である。このため、汎用性に優れた仕上面材１を提供することが可能である。
【００５９】
また、なまし線４は、仕上面材本体３を面内方向に全長に亘って設けられているので、たとえ仕上面材本体３が割れたとしても、割れた部位がなまし線４により繋がって落下することを防止することが可能である。
【００６０】
また、仕上面材本体３の端面３ａから突出しているなまし線４が下地材２の小口２ｈに固定されているので、接着される仕上面材本体３と下地材２との間になまし線４が入り込むことをより確実に防止することが可能である。
【００６１】
また、１つの下地材２に１つの仕上面材本体３が接着されているので、全ての仕上面材１のなまし線４を下地材２の小口２ｈに固定することが可能である。また、下地材２の被接着面２ｂは仕上面材本体３に全面覆われているので、仕上面材１を下地材２に固定して並べるだけで美観に優れた仕上面を施工することが可能である。
【００６２】
また、本実施形態の仕上面材１によれば、なまし線４により下地材２の小口２ｈに固定されている仕上面材本体３を、下地材２に取り付けた状態で扱うことが可能である。このため、仕上面材１を下地材２に予め工場等にて取り付け、仕上面材本体３を下地材２に取り付けた状態で扱うことができるので、運搬・搬送時における仕上面材本体３の損傷を防止することが可能である。
【００６３】
また、施工現場では、下地材２を梁６に取り付けるだけなので、施工現場において施工される仕上面の面精度の調整が容易である。
【００６４】
また、本実施形態の仕上げ構造によれば、面内方向に並べて複数配置される仕上面材１は、隣り合う下地材２同士が互いに間隔を空けて配置されるので、互いに隣り合う仕上面材１の下地材２の小口２ｈに固定されているなまし線４同士及びなまし線４を固定しているビス９同士の干渉を避けることが可能である。また、隣り合う仕上面材本体３の端面３ａ間にシーリング材１２が設けられているので、端面３ａから突出して下地材２に固定されるなまし線４及びなまし線４を固定しているビス９をシーリング材１２により隠蔽することが可能である。このため、より綺麗に仕上面を仕上げることが可能である。
【００６５】
また、本実施形態の仕上面の施工方法によれば、仕上面材本体３が接着されている下地材２を梁６に取り付けるので、仕上面材本体３を傷つけることなく梁６に仕上面材１を備えることが可能である。また、隣り合う仕上面材本体３の互いに対向する端面３ａ間をシーリングするので、仕上面材本体３を下地材２に固定しているなまし線４及びなまし線４を固定しているビス９は外部に露出しない。このため、より美観に優れた仕上面を容易に施工することが可能である。
【００６６】
上記実施形態においては、下地材２を中空部２ａが上下方向に沿うように配置したので、上方及び下方に突出しているなまし線４を下地材２の上下の小口２ｈにビス９によりそれぞれ固定する例について説明したが、これに限るものではない。例えば、下地材の中空部が左右方向に沿うように配置されている場合には、仕上面材１を、なまし線が左右方向の端から突出するように配置し、左右に突出しているなまし線を下地材の左右の小口にビスによりそれぞれ固定しても構わない。
【００６７】
上記実施形態においては、基材５に長手方向に沿って設けた凹部５ｂになまし線４を端面３ｂから突出させて配置した後に共材５ｃを充填した例について説明したが、これに限るものではない。例えば、図７（ａ）に示すように、凹部５ａはいずれかの端面５ｂに繋がっていれば、全長に亘って設けられていなくとも、また、一方の端面のみから突出していても構わない。
【００６８】
また、凹部５ａは直線状に設けられていなくとも、図７（ｂ）〜図７（ｄ）に示すように面内方向において鉤状又は湾曲するように屈曲して設けられていてもよい。このとき、なまし線４は、凹部５ａの形状に沿って配置され端面３ａから突出させておくと、長手方向に沿って直線状に設けられている場合よりも強固に仕上面材本体３となまし線４とを接合することが可能である。
【００６９】
上記実施形態においては、合成樹脂製の板材の接着面側に凹部５ａを形成した基材５に、なまし線４を配設して、共材５ｃにより埋め戻して仕上面材１を製造する例について説明したが、これに限らず、例えば板材を成形する型に予めなまし線を配設した後に溶融した合成樹脂を注入して一体成形しても構わない。
【００７０】
上記実施形態においては、仕上面材１を、下地材２を介して建物の梁６に取り付ける例について説明したが、図８に示すように、仕上面材１は、例えばコンクリート躯体２０にコンクリートビス２１等により直接固定してもよい。この場合には、上下方向及び左右方向において隣接する２つの仕上面材１の間に目地モルタルが充填される。
【００７１】
仕上面材１をコンクリート躯体２０に直接固定する場合の仕上面の施工方法は、まず工場などにて製造された仕上面材１を、仕上面材本体同士を互いに間隔を隔てて面内方向に並べつつコンクリート躯体２０にコンクリートビス２１等により各仕上面材１のなまし線４を固定する（取付工程）。
【００７２】
次に、コンクリート躯体２０に固定された複数の仕上面材１の、互いに隣り合う仕上面材１同士の間に、目地モルタルを充填し（目地形成工程）、仕上面を完成させる。
【００７３】
このような仕上げ構造によれば、仕上面材本体３の端面３ａから突出しているなまし線４をコンクリート躯体２０に取り付けるだけで、剥離時の仕上面材１の落下を防止することが可能である。また、図９に示すように、上下に並ぶ複数の仕上面材１のなまし線４を単一のコンクリートビス２１で固定しても構わない。この場合には、上下に並ぶ複数の仕上面材１において、なまし線４を突出させる幅方向の位置を、互いに違えておくことが望ましい。
【００７４】
上記実施形態においては、固定部材をステンレス製のなまし線４としたが、これに限らず、例えば引張強度が高い繊維などであっても構わない。
【００７５】
以上、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００７６】
１  仕上面材、２  下地材、２ａ  中空部、２ｂ  被接着面、２ｃ  被接着板部、
２ｄ  屋内側板部、２ｅ  リブ、２ｆ  挿入突部、２ｈ  小口、３  仕上面材本体、
３ａ  仕上面材本体の端面、３ｂ  接着面（一方の面）、３ｃ  共材充填部、
４  なまし線（固定部材）、５  基材、５ａ  凹部、５ｂ  基材の端面、５ｃ  共材、
６  梁（構造物、他の部材）、６ａ  フランジ、６ｂ  ウエブ、
８  接着剤、９  ビス、１０  下地鋼材、１１  パッキング材、
１２  シーリング材、１３  連結鋼材、１３ａ  梁溶接部、１３ｂ  上方延出部、
１３ｃ  下地材固定部、１４  載置アングル材、１４ａ  載置板部（板部）、
１４ｂ  溶接板部（板部）、１５  水切りプレート、１６  ビス、１７  プレートナット、
１８  バックアップ材、１９  固定金具、２０  コンクリート躯体（構造物、他の部材）、
２１  コンクリートビス、
【図１】
2019052426.tif 000003
【図２】
2019052426.tif 000004
【図３】
2019052426.tif 000005
【図４】
2019052426.tif 000006
【図５】
2019052426.tif 000007
【図６】
2019052426.tif 000008
【図７】
2019052426.tif 000009
【図８】
2019052426.tif 000010
【図９】
2019052426.tif 000011